(57)【特許請求の範囲】
【請求項１】
外径方向に切れ刃高さが漸増され加工すべき被加工物の歯面より内側の歯面までを加工するようにされた第一の切れ刃群と、前記第一の切れ刃群に続いて、前記第一の切れ刃群の最終切れ刃と同形状の内側切れ刃と該切れ刃の外径方向に設けられ切れ刃高さが漸増され前記被加工物の歯溝部を加工するようにされた溝切れ刃とを有する第二の切れ刃群と、前記第二の切れ刃群に続いて、歯厚方向に切れ刃が漸増され、前記第二の切れ刃で形成された前記被加工物の歯溝底面を干渉することなく前記被加工物の歯面を仕上げる第三の切れ刃群と、を備えた内歯加工用ブローチにおいて、
前記第二の切れ刃群の第１刃の内側切れ刃の歯厚方向幅に対して、前記第１刃の内側切れ刃に続く第２刃以降の内側切れ刃の歯厚方向幅が小さくされ、かつ前記第二の切れ刃群の第１刃の溝切れ刃の幅方向厚みに対して、前記第１刃の溝切れ刃に続く第２刃以降の溝切れ刃の幅方向厚みが小さくされ、

かつ前記溝切れ刃の高さが漸増するようにされており、前記第三の切れ刃群は前記歯溝底面以下の外径高さであり、さらに、前記第三の切れ刃群の歯厚方向の切り込み量が前記第一及び第二の切れ刃群の歯厚方向の切り込み量を超える量とされ、かつ、前記溝切れ刃で形成された歯溝部側面の段部の一部又は全部を切り取るような切り込み量とされていることを特徴とする内歯加工用ブローチ。
【請求項２】
前記第二の切れ刃群は、前記溝切れ刃の高さが高くなるに従い前記内側切れ刃の歯厚方向幅及び前記溝切れ刃の幅方向厚みが減少するようにされていることを特徴とする請求項１記載の内歯加工用ブローチ。
【発明の詳細な説明】
【技術分野】
【０００１】
本発明は、内歯車、内スプライン等の内歯加工用ブローチに関し、特に薄肉で変形しやすいワークの加工時のスプリングバックに対応した内歯加工用ブローチに関する。
【背景技術】
【０００２】
従来、図４に示すような、内歯車、内スプライン等の内歯加工用ブローチが知られている。この内歯加工用ブローチは、長手方向及び円周方向に多数の切れ刃が設けられている。この切れ刃の高さや幅を長手方向に向かって外径方向又は幅方向に漸増させ、切れ刃の切り込み量を漸次増大させている。かかる切れ刃をワークの内径部に通過させワーク内径を加工する。この切れ刃の切り込み位置や切り込み量により、加工効率、加工精度、ブローチ寿命、ブローチ製作費用等が大きく異なるため種々の切削方式が提案されている。なお、一般に切り込み方向がブローチの軸心より外径方向である場合は外径上がり（切削）、歯面（歯厚）方向である場合は歯厚上がり（切削）といわれている。
【０００３】
例えば、図４、図５に示すものは、ヘリカルブローチに使用される例で、図４及び図５（ａ）に示すように、第一の切れ刃群（荒刃）４で加工すべき歯面（形）３１（図５（ｂ））より小さい歯面３２に沿って外径上がり３３・・３３で順次加工する。次に、第二の切れ刃群５で、完成歯の歯溝底部３４と同形状となるように歯溝底部分を外径上がりで順次加工３５・・３５する。さらに、図５（ｂ）に示すように、第三の切れ刃群（仕上げ刃）６で歯厚上がり３６・・３６に加工して、最終歯面３１とする。仕上げ刃を歯厚上がりとすることにより、ワーク１０の歯面(形状、荒さ、寸法等)精度を高くすることができる（特許文献１、段落０００３、図４）。
【０００４】
しかし、外径上がりでの歯形の加工時に、歯形を同じとすると、すでに加工された部分と次に加工する歯形とが擦れる。この擦れを防止するために、図６に示すように、歯形先端部４１より一定の歯形部４２を残して逃し（歯形を内側に減少させている）４３を設けている。さらに、歯形先端（歯溝）部を直線でなく曲線とし、さらに、歯形部と先端部とのコーナー４４を曲線で結んだ場合に、コーナー部での溶着磨耗を防ぐためコーナー部を重複して加工しないようにコーナー部４５の逃げ４６を設けている（特許文献２、第２図）。
【０００５】
一方、ワーク１０が薄肉の場合に、ワークのスプリングバックによる歯の側面で擦れにより、溶着やバリが発生する。そこで、特許文献３においては、前述した逃げと同様な逃げを歯厚方向に設けてバリの発生等を防止している。
【先行技術文献】
【特許文献】
【０００６】
【特許文献１】特開２０００−１５８２３０号
【特許文献２】特開昭６３−２９５１１３号
【特許文献３】特開２００８−８５６号
【発明の概要】
【発明が解決しようとする課題】
【０００７】
しかし、特許文献２，３のものでは、外径上がりで歯面４１、４２を形成し、また切れ刃に逃げ４３を設けているので歯面４２の精度を高くすることは困難であった。また、歯溝部の加工においても逃げを形成するので歯溝形状は必ずしも精度の高いものではない。精度の高いものとするには、切り込み量を小さくして刃数を多くしなければならずブローチ長さも長くなり経済的でない。一方、特許文献１のものでは、最終刃を歯厚上がりとするので歯面精度を確保できるが、第一の切れ刃群４、第二の切れ刃群５では外径上がりで加工するので歯面、歯溝底部での擦れが発生し、ブローチ側の刃の磨耗や欠けが発生する。そこで、特許文献２、３のように逃げを設ければよい。
【０００８】
しかし、特許文献１の方式では、歯溝底部３４の側面３４ａは垂直又はほぼ垂直であるため、かかる逃げを設けることができない。また、歯形形成部と歯溝底形成部の角部（図５符号３７）の擦れが大きく刃の欠損や磨耗を防止することができないという問題があった。本発明の課題はかかる問題点に鑑みて、薄肉のワークでスプリングバックによる切れ刃のワークとの擦れを防止し、ワークのむしれ、切れ刃の欠けや磨耗を減らし、歯車加工精度の高い内歯車加工用ブローチを提供することである。
【課題を解決するための手段】
【０００９】
本発明においては、外径方向に切れ刃高さが漸増され加工すべき被加工物の歯面より内側の歯面までを加工するようにされた第一の切れ刃群と、前記第一の切れ刃群に続いて、前記第一の切れ刃群の最終切れ刃と同形状の内側切れ刃と該切れ刃の外径方向に設けられ切れ刃高さが漸増され前記被加工物の歯溝部を加工するようにされた溝切れ刃とを有する第二の切れ刃群と、前記第二の切れ刃群に続いて、歯厚方向に切れ刃が漸増され、前記第二の切れ刃で形成された前記被加工物の歯溝底面を干渉することなく前記被加工物の歯面を仕上げる第三の切れ刃群と、を備えた内歯加工用ブローチにおいて、
前記第二の切れ刃群の第１刃の内側切れ刃の歯厚方向幅に対して、前記第１刃の内側切れ刃に続く第２刃以降の内側切れ刃の歯厚方向幅が小さくされ、かつ前記第二の切れ刃群の第１刃の溝切れ刃の幅方向厚みに対して、前記第１刃の溝切れ刃に続く第２刃以降の溝切れ刃の幅方向厚みが小さくされ、かつ前記溝切れ刃の高さが漸増するようにされており、前記第三の切れ刃群は前記歯溝底面以下の外径高さであり、さらに、前記第三の切れ刃群の歯厚方向の切り込み量が前記第一及び第二の切れ刃群の歯厚方向の切り込み量を超える量とされ、かつ、前記溝切れ刃で形成された歯溝部側面の段部の一部又は全部を切り取るような切り込み量とされている内歯加工用ブローチを提供することにより前述した課題を解決した。
【００１０】
即ち、第二の切れ刃群の第１刃の内側切れ刃の歯厚方向幅に対して、第１刃の内側切れ刃に続く第２刃以降の内側切れ刃の歯厚方向幅を小さくして、かつ第二の切れ刃群の第１刃の溝切れ刃の幅方向厚みに対して、第１刃の溝切れ刃に続く第２刃以降の溝切れ刃の幅方向厚みを小さくしたので、加工中の角部（図５符合３７）の擦れが発生しない。一方、歯溝側面は滑らかにつながらず断続的になる。しかしさらに、第三の切れ刃群の外径方向高さを歯溝底面以下の外径高さとし、第三の切れ刃群の歯厚方向の切り込み量を第一及び第二の切れ刃群の歯厚方向の切り込み量を超える量とし、かつ溝切れ刃で形成された歯溝部側面の段部の一部又は全部を切り取るようにしたので、断続的に形成された歯溝の一部又は全部を削り取る。従って、従来の歯厚上がり仕上げ加工と同様な滑らかな歯面及び歯溝側面加工ができる。
【００１１】
また、スプリングバック量が大きい場合や、歯溝底面の外径上がり毎にスプリングバックが生じる場合がある。あるいは、精度の高い歯溝形状としたい場合がある。そこで、請求項２に記載の発明においては、前記第二の切れ刃群は、前記溝切れ刃の高さが高くなるに従い前記内側切れ刃の歯厚方向幅及び前記溝切れ刃の幅方向厚みが減少するようにされている内歯加工用ブローチとした。
【００１２】
第二の切れ刃群の溝切れ刃の高さが高くなるに従い内側切れ刃の歯厚方向幅及び溝切れ刃の幅方向厚みを減少するようにしたので、加工中の角部の擦れに加え、擦れ部が垂直方向であっても、重ねて擦れることがない。また、歯面及び歯溝側面は滑らかにつながらず断続的になる。しかしさらに、断続的に形成された歯面及び断続的に形成された歯溝の一部又は全部を削り取り、さらに滑らかな歯面及び歯溝側面加工ができる。
【発明の効果】
【００１３】
本発明によれば、第二の切れ刃群の第１刃の内側切れ刃の歯厚方向幅に対して、第１刃の内側切れ刃に続く第２刃以降の内側切れ刃の歯厚方向幅を小さくして、かつ第二の切れ刃群の第１刃の溝切れ刃の幅方向厚みに対して、第１刃の溝切れ刃に続く第２刃以降の溝切れ刃の幅方向厚みを小さくし、加工中の角部の擦れが発生しないようにしたので、ワークとの擦れを防止し、切れ刃の欠けや磨耗が少ないブローチを提供するもとなった。また、第三の切れ刃群で断続的に形成された歯溝側面を削り取り、滑らかな歯面及び歯溝側面加工ができるので、歯形精度の高い内歯加工用ブローチを提供するものとなった。特に、ワークが薄肉の場合、外径上がり加工時に幅方向の縮小が大きく、第二の切れ刃群での擦れ等の防止に大変有効である。
【００１４】
さらに、請求項２に記載の発明においては、第二の切れ刃群の切れ刃の（外径方向）高さが高くなるに従い第２刃以降の内側切れ刃の歯厚方向幅及び溝切れ刃の幅方向厚みを減少するようにし、加工中の角部の擦れに加え、歯溝側面の擦れが発生しないようにしたので、さらに、擦れを少なくし、切れ刃の欠けや磨耗を少なくでき、精度の高いブローチ加工を提供する。
【図面の簡単な説明】
【００１５】
【図１】本発明の第一の実施の形態を示す（ａ）は第一の切れ刃群、（ｂ）は第二の切れ刃群、（ｃ）は第三の切れ刃群の切削方式の説明図である。
【図２】本発明の第二の実施の形態を示す第二の切れ刃群の切削方式の説明図である。
【図３】本発明の第三の実施の形態を示す（ａ）は第一の切れ刃群、（ｂ）は第二の切れ刃群、（ｃ）は第三の切れ刃群の切削方式の説明図である。
【図４】ヘリカルブローチの全体側面図である。
【図５】従来のヘリカルブローチの切削方式の例を示す説明図である。
【図６】従来の擦れ防止を施した切削方式の例を示す部分拡大説明図である。
【発明を実施するための形態】
【００１６】
本発明の第一の実施の形態について図面を参照して説明する。図４は本発明のヘリカルブローチの側面図であり、従来のものと同様である。図４に示すように。ブローチ１は、棒状であり前つかみ部２、案内部３、荒加工用の第一の切れ刃群４、溝底加工用の第二の切れ刃群５、仕上げ加工用の第三の切れ刃群６（シェル刃）、シェル刃を本体に固定するロックナット７、後ろつかみ部８が順次設けられている。前つかみ部２をワーク１０穴に挿入して、引き抜くことによりワーク内径を各切れ刃で順次加工し内歯や内スプライン、キー溝等を加工する。
【００１７】
第一の切れ刃群４は、図１（ａ）に示すように、歯形を形成するための荒加工部である。第一の切れ刃群４は、加工後の歯形（完成歯形）１１より内側面を歯面１２として、いいかえれば歯面方向の削り代１３を残して、徐々に外径方向に切れ刃の高さ１４・・１４が高くなるようにされている。なお、薄肉の状態や、擦れの状態に応じて、従来と同様な歯面方向の逃げを設けてもよい。
【００１８】
第二の切れ刃群５は、第一の切れ刃群の最終切れ刃１４と同形状の内側切れ刃１６と該切れ刃の外径方向に設けられた溝切れ刃１７とからなる。溝切れ刃１７・・１７´の切れ刃の高さ（外径方向の高さ）が漸増されており、ワーク１０の歯溝部１８を加工する。第二の切れ刃群５の第１刃の内側切れ刃１６の歯厚方向幅２１に対して、第１刃の内側切れ刃１６に続く第２刃以降の内側切れ刃１６´の歯厚方向幅２１´が小さくされ、かつ第二の切れ刃群５の第１刃の溝切れ刃１７の幅方向厚み２２に対して、第１刃の溝切れ刃１７に続く第２刃以降の溝切れ刃１７´の幅方向厚み２２´が小さくされている。第二の切れ刃群の最終刃の先端で歯溝底面２３が形成される。ワーク１０が薄肉の場合は、歯厚方向の加工より外径上がりの加工時にスプリングバックが発生し、縮径する傾向が強く、例えば、第１刃の溝切れ刃１７（内側切れ刃１６）の幅方向厚み２２（歯厚方向幅２１）に対して第２刃以降の溝切れ刃１７´（内側切れ刃１６´）の幅方向厚み２２´（歯厚方向幅２１´）を０．０１５〜０．２ｍｍ縮めるとよい。
【００１９】
また、このため第二の切れ刃群での加工後は歯溝側面に段部２４が生じる。第三の切れ刃群６の歯厚方向の切れ刃２５が歯溝底面２３を切削あるいは歯溝底面２３と干渉することがないように、歯溝底面以下の高さ、即ち歯溝底面より内側となる寸法にされている。さらに、第三の切れ刃群６の歯厚方向の総切り込み量２６は第一及び第二の切れ刃群の歯厚方向の切り込み量を超える量とされている。これにより、第一の切れ刃群で形成された荒加工歯面１２あるいは第二の切れ刃群と形成された加工歯面１６、１６′を削除する。さらに、第三の切れ刃群６の切れ刃２７・・２７の歯厚方向の切り込み量を第二の切れ刃群の溝切れ刃１７、１７′で形成された歯溝部側面の段部２４の一部又は全部を切り取るような切り込み量とし、段部２４を削り取り、歯面から歯溝底への面２８を整形する。この歯溝部の段部の削除整形は要求される歯車諸元により、適宜決定される。
【００２０】
かかるブローチを用いることにより、薄肉ワーク１０の内歯あるいは内スプライン等のブローチ加工において、ワークのスプリングバックによる切れ刃の磨耗、欠損、あるいはワークのむしれやバリ等の発生を防ぎ、高精度加工ができ、ブローチ寿命も長いものとなる。
【００２１】
また、前述した第一の実施の形態においては、幅方向の寸法を両側面で減少させているが、片側だけ減少させてもよい。その例を図２に示す。前述したと同様な部分については同符号を付し説明の一部を省略する。図２に示すように、第二の切れ刃群５の第１刃の内側切れ刃１６の歯厚方向幅２１に対して、第１刃の内側切れ刃１６に続く第２刃以降の内側切れ刃１６´の歯厚方向幅２１´が小さくされ、かつ第二の切れ刃群５の第１刃の溝切れ刃１７の幅方向厚み２２に対して、第１刃の溝切れ刃１７に続く第２刃以降の溝切れ刃１７´の幅方向厚み２２´が小さくされている。このように片側であっても、スプリングバックの影響を無くす又は減じることができる。
【００２２】
次に本発明の第三の実施の形態については説明する。本発明の第三の実施の形態を図３に示す。本発明の第三の実施の形態は、第二の切れ刃群の溝切れ刃の高さが高くなるに従い内側切れ刃の歯厚方向幅及び溝切れ刃の幅方向厚みを徐々に減少させたものである。なお、ブローチ全体については前述した第一の実施の形態と同様であり、また、その他第一の実施の形態と同様な部分については同符号を付し説明の一部を省略する。第一の切れ刃群４は、図３（ａ）に示すように、歯形を形成するための荒加工部である。
【００２３】
第二の切れ刃群５は、第一の切れ刃群の最終切れ刃１４と同形状の内側切れ刃１６と該切れ刃の外径方向に設けられた溝切れ刃１７とからなる。溝切れ刃１７・・１７の切れ刃の高さ（外径方向の高さ）が漸増されており、ワーク１０の歯溝部１８を加工する。第二の切れ刃群の溝切れ刃の高さが高くなるに従い内側切れ刃１６の歯厚方向幅２１・・２１及び溝切れ刃の幅方向厚み２２・・２２が徐々に減少するようにされている。第二の切れ刃群の最終刃の先端で歯溝底面２３が形成される。外径上がりの加工時にスプリングバックが発生し易い場合に有効である。
【００２４】
さらに、第二の切れ刃群での加工後は歯溝側面に段部２４が生じる。第三の切れ刃群６の歯厚方向の切れ刃２５が歯溝底面２３を切削あるいは歯溝底面と干渉することがないように、歯溝底面以下の高さ、即ち歯溝底面より内側となる寸法にされている。さらに、第三の切れ刃群６の歯厚方向の総切り込み量２６は第一及び第二の切れ刃群の歯厚方向の切り込み量を超える量とされている。これにより、第一又は第二の切れ刃群で形成された荒加工歯面１２、１６を削除する。さらに、第三の切れ刃群６の切れ刃２７・・２７の歯厚方向の切り込み量を第二の切れ刃群の溝切れ刃１７で形成された歯溝部側面の段部２４の一部又は全部を切り取るような切り込み量とし、段部２４を削り取り、歯面から歯溝底への面２８を整形する。
【００２５】
なお、本発明の実施の形態について、ヘリカルブローチを例にとって説明したが、その他のブローチについても適用できる。また、第一乃至第三の切れ刃群は本発明の趣旨を逸脱しない範囲で適宜変更できる。例えば、切れ刃形状・寸法が同一な仕上げ刃を設ける。あるいは内径加工用刃を設ける。キー穴加工用刃を設ける等々してもよいことはいうまでもない。
【符号の説明】
【００２６】
１    内歯加工用ブローチ
４    第一の切れ刃群
５    第二の切れ刃群
６    第三の切れ刃群
１０  被加工物（ワーク）
１１  被加工物（ワーク）の歯面
１２  被加工物（ワーク）の歯面より内側の歯面
１６、１６′  内側切れ刃
１７、１７′  溝切れ刃
１８  歯溝部
２１、２１′  内側切れ刃の歯厚方向幅
２２、２２′  溝切れ刃の幅方向厚み
２３  歯溝底面
２４  段部
２６  第三の切れ刃群の歯厚方向の切り込み量
２７  第三の切れ刃群の切れ刃
【図１】
0005741930.tif 000002
【図２】
0005741930.tif 000003
【図３】
0005741930.tif 000004
【図４】
0005741930.tif 000005
【図５】
0005741930.tif 000006
【図６】
0005741930.tif 000007